(57)【要約】【課題】被照明面における色むらを効率的に抑制する。【解決手段】照明装置１は、放出される光の相関色温度が互いに異なる２種以上の発光素子３０が一方向に沿って並べられた光源３と、鏡面反射面Ｒ１と、補助反射面Ｒ２とを備える。鏡面反射面Ｒ１は、光源３から出射された光源光を反射して、遠領域ＦＲ及び近領域ＮＲに第１の光を照射する。補助反射面Ｒ２は、光源光の二次以上の反射光を反射して、近領域ＮＲに第２の光を照射する。補助反射面Ｒ２は、所定の色に着色されている。遠領域ＦＲに照射される第１の光の相関色温度と、近領域ＮＲに照射される第１及び第２の光の混光の相関色温度との差の絶対値は、遠領域ＦＲに照射される第１の光の相関色温度と、近領域ＮＲに照射される第１の光の相関色温度との差の絶対値より小さい。【選択図】図５
2018113118.tif 000002
【特許請求の範囲】
【請求項１】
被照明面に沿って延設され、前記被照明面を構成する第１領域及び該第１領域よりも近くに位置する第２領域を所定の相関色温度で照明する照明装置であって、
放出される光の相関色温度が互いに異なる２種以上の発光素子が一方向に沿って並べられた光源と、
前記光源から出射された光源光を反射して、前記第１及び第２領域に第１の光を照射する第１反射面と、
前記光源光の二次以上の反射光を反射して、前記第２領域に第２の光を照射する第２反射面と、
を備え、
前記第２反射面は、所定の色に着色されており、
前記第１領域に照射される前記第１の光の相関色温度と、前記第２領域に照射される前記第１及び第２の光の混光の相関色温度との差の絶対値が、前記第１領域に照射される前記第１の光の相関色温度と、前記第２領域に照射される前記第１の光の相関色温度との差の絶対値より小さいことを特徴とする照明装置。
【請求項２】
前記第１領域に照射される前記第１の光の相関色温度が、前記第２領域に照射される前記第１の光の相関色温度より低く、
前記第２の光の相関色温度の平均値が、前記第１の光の相関色温度の平均値より低いことを特徴とする請求項１に記載の照明装置。
【請求項３】
前記２種以上の発光素子は、放出される光の相関色温度が互いに異なる第１の発光素子と第２の発光素子とから構成されており、
前記照明装置は、前記第１及び第２の発光素子の光出力を制御する制御部を備えており、
前記制御部は、前記第１及び第２の発光素子の光出力比を変化させることで、前記光源光の相関色温度を、第１相関色温度を中央値とする所定の範囲で可変とし、
前記光源光の相関色温度が前記第１相関色温度であるとき、前記第１領域に照射される前記第１の光の相関色温度が、前記第２領域に照射される前記第１の光の相関色温度より低く、前記第２の光の相関色温度の平均値が、前記第１の光の相関色温度の平均値より低いことを特徴とする請求項２に記載の照明装置。
【請求項４】
前記第１領域に照射される前記第１の光の相関色温度が、前記第２領域に照射される前記第１の光の相関色温度より高く、
前記第２の光の相関色温度の平均値が、前記第１の光の相関色温度の平均値より高いことを特徴とする請求項１に記載の照明装置。
【請求項５】
前記２種以上の発光素子は、放出される光の相関色温度が互いに異なる第１の発光素子と第２の発光素子とから構成されており、
前記照明装置は、前記第１及び第２の発光素子の光出力を制御する制御部を備えており、
前記制御部は、前記第１及び第２の発光素子の光出力比を変化させることで、前記光源光の相関色温度を、第１相関色温度を中央値とする所定の範囲で可変とし、
前記光源光の相関色温度が前記第１相関色温度であるとき、前記第１領域に照射される前記第１の光の相関色温度が、前記第２領域に照射される前記第１の光の相関色温度より高く、前記第２の光の相関色温度の平均値が、前記第１の光の相関色温度の平均値より高いことを特徴とする請求項４に記載の照明装置。
【請求項６】
前記光源光が前記第１反射面を介さずに前記第１及び第２領域に照射されることを抑制する遮光板を備え、
前記遮光板に前記第２反射面を設けたことを特徴とする請求項１乃至５のいずれか一項に記載の照明装置。
【請求項７】
前記第１反射面から入射した光を前記第１及び第２領域に向けて拡散照射する拡散パネルを備えたことを特徴とする請求項１乃至６のいずれか一項に記載の照明装置。
【発明の詳細な説明】
【技術分野】
【０００１】
本開示は、発光ダイオード（ＬＥＤ：Light Emitting Diode）等の発光素子を光源とする照明装置に関する。
【背景技術】
【０００２】
上記照明装置としては、発光色の異なる複数種類の発光素子を光源として用い、各発光素子の出力調整を行うことにより、照明光の光色を変更することが可能な照明装置がある。特許文献１は、関連する技術を開示している。
【先行技術文献】
【特許文献】
【０００３】
【特許文献１】特開２０１４−１２０３９６号公報
【発明の概要】
【発明が解決しようとする課題】
【０００４】
しかしながら、放出される光の相関色温度が互いに異なる複数種類の発光素子を光源とする照明装置は、例えば、各発光素子の配光特性のばらつき、光軸ずれ、取付位置のずれ等により、被照明面に色むらを生じさせることがある。
【０００５】
本開示は、このような従来技術の有する課題に鑑みてなされたものである。そして、本開示の目的は、上記被照明面における色むらを効率的に抑制することにある。
【課題を解決するための手段】
【０００６】
本開示の態様に係る照明装置は、被照明面に沿って延設され、被照明面を構成する第１領域及び該第１領域よりも近くに位置する第２領域を所定の相関色温度で照明する装置である。該照明装置は、放出される光の相関色温度が互いに異なる２種以上の発光素子が一方向に沿って並べられた光源と、第１反射面と、第２反射面とを備える。第１反射面は、光源から出射された光源光を反射して、第１及び第２領域に第１の光を照射する。第２反射面は、光源光の二次以上の反射光を反射して、第２領域に第２の光を照射する。第２反射面は、所定の色に着色されている。第１領域に照射される第１の光の相関色温度と、第２領域に照射される第１及び第２の光の混光の相関色温度との差の絶対値は、第１領域に照射される第１の光の相関色温度と、第２領域に照射される第１の光の相関色温度との差の絶対値より小さい。
【発明の効果】
【０００７】
本開示によれば、被照明面における色むらを効率的に抑制することが可能となる。
【図面の簡単な説明】
【０００８】
【図１】本開示の実施形態にかかる照明装置の配置図である。
【図２】図１のＡ−Ａ線断面図である。
【図３】実施形態にかかる照明装置の第１の光の照射領域を示す図である。
【図４】実施形態にかかる照明装置の第２の光の照射領域を示す図である。
【図５】実施形態にかかる照明装置の断面図である。
【図６】実施形態にかかる光源のＬＥＤの配置図である。
【発明を実施するための形態】
【０００９】
以下、図面を参照しながら、本開示の実施形態にかかる照明装置１について説明する。なお、「上」「下」「前」「後」など方向を表す用語は、各部の位置関係を説明するために便宜上定めたものであり、実際の装置の取り付け姿勢等を限定するものではない。
【００１０】
照明装置１は、図１乃至図４に示すように、例えば、美術館や博物館等に用いられる展示ケース１０内に設置することができる。展示ケース１０は、展示台１１と、天壁１２と、奥壁１３と、前壁１４と、左右の側壁１５とを備え、内部に展示空間Ｓを有している。前壁１４には、展示ケース１０の前方から展示空間Ｓ内を視認可能にする透明パネル１４ａが設けられている。透明パネル１４ａの上方及び下方には、上側遮蔽壁１４ｂ及び下側遮蔽壁１４ｃが設けられている。絵画や彫刻等の展示物は、奥壁１３の前面１３ａに掛けられ、或いは、展示台１１の上面１１ａに載置されて展示される。
【００１１】
照明装置１は、例えば、図１に示すように、展示空間Ｓの略全長に亘って複数設置される。各照明装置１は、長尺形状を有し、奥壁１３の前方位置において、その前面１３ａと略平行に延設される。各照明装置１は、例えば、図５に示すように、上側遮蔽壁１４ｂの後側面に取付ブラケット等の固定具１６を介して固定することができる。
【００１２】
照明装置１から出射された照明光Ｌは、図２に示すように、奥壁１３の前方かつ上方から奥壁１３の前面１３ａに向けて照射され、奥壁１３の前面１３ａに対して斜めに入射する。照明光Ｌの一部は、展示台１１の上面１１ａに照射されてもよい。照明光Ｌは、図１に示すように、奥壁１３の前面１３ａの略全域に照射される。ここでは、奥壁１３の前面１３ａのうち照明光Ｌが到達する領域を被照明面ＩＲと称する。照明光Ｌは、被照明面ＩＲにおいて所望の均斉度を得るように配光される。また、照明光Ｌの相関色温度は、被照明面ＩＲの略全域において略均一になるように調色される。展示ケース１０の用途においては、均斉度（最低照度と最高照度の比）は、０．７５以上であることが望ましく、被照明面ＩＲにおける相関色温度のばらつき（相関色温度の最高値と最低値との差）は、１００Ｋ以下であることが望ましい。
【００１３】
被照明面ＩＲは、図１乃至図４に示すように、照明装置１から離れた位置にある遠領域ＦＲ（第１領域）と、遠領域ＦＲより照明装置１の近くに位置する近領域ＮＲ（第２領域）とに区画される。本実施形態のように、照明装置１が展示空間Ｓの上部に設けられた場合は、遠領域ＦＲが被照明面ＩＲの下側領域を、近領域ＮＲが被照明面ＩＲの上側領域を占めることとなる。遠領域ＦＲ及び近領域ＮＲは、正面視において各々、展示空間Ｓの略全長に亘って水平方向に延びる帯状領域を構成する。
【００１４】
照明装置１は、図５に示すように、ハウジング２と、光源３と、反射板４と、遮光板５と、拡散パネル６とを備えている。
【００１５】
ハウジング２は、アルミニウム等の金属や樹脂等の薄板から形成された長尺の中空部材である。ハウジング２の内部には、照明装置１の長手方向に垂直な断面において台形状を呈する収容空間２Ａが設けられている。収容空間２Ａ内には、光源３と、反射板４と、遮光板５とが収容されている。ハウジング２の下面には、下方に（被照明面ＩＲ側に）向けて開放された投光開口２Ｂが設けられ、この投光開口２Ｂに拡散パネル６が取り付けられている。
【００１６】
光源３は、基板３ａの上に実装された複数のＬＥＤ３０（発光素子）から構成された線状光源である。基板３ａは、複数のＬＥＤ３０が実装された面を後方に（被照明面ＩＲ側に）向けた姿勢で、ハウジング２に固定されている。基板３ａの裏面側（前側）には、ＬＥＤ３０に電力を供給するための電子部品等からなる電源部７が設けられている。複数のＬＥＤ３０は、放出される光の相関色温度が互いに異なる第１のＬＥＤ３１（第１の発光素子）と第２のＬＥＤ３２（第２の発光素子）とから構成されている。照明装置１は、これらのＬＥＤ３１，３２から出射された光の混光を光源光としている。第１及び第２のＬＥＤ３１，３２は、図６に示すように、交互に等間隔に、照明装置１の長手方向に沿って一列に並べられて配置されており、これにより光源３の幅を狭めて、照明光Ｌの配光制御を容易にしている。なお、ＬＥＤ３０（３１，３２）の列の数は、特に限定されず、配光制御を過度に複雑にしない範囲で２列以上にすることができる。
【００１７】
また、照明装置１は、第１及び第２のＬＥＤ３１，３２の光出力を制御する制御部９を備えている（図６参照）。制御部９は、電源部７と、各ＬＥＤ３１，３２の光出力を制御する出力制御部８とを備えている。制御部９は、各ＬＥＤ３１，３２の光出力比を調整することで、光源３から出射される混光の相関色温度を、例えば、３０００Ｋ〜５０００Ｋの範囲で可変としている。
【００１８】
反射板４は、光源３よりも被照明面ＩＲ側の位置に、光源３の上方及び後方を覆うように配置されて、ハウジング２に固定されている。反射板４の下側端部は、下方に向けて開放され、投光開口２Ｂを形成している。反射板４は、光源３側の面に鏡面反射面Ｒ１（第１反射面）を備えている。鏡面反射面Ｒ１は、照明装置１の長手方向（光源３の延在方向）に沿って延びており、照明装置１の長手方向に垂直な断面において、略放物線状の湾曲形状を有している。反射板４は、例えば、アルミニウムやステンレス等の金属や樹脂等から形成することができる。鏡面反射面Ｒ１は、反射板４の光源３側の面に鏡面加工を施したり、反射材を塗布または蒸着したりすることによって形成することができる。
【００１９】
鏡面反射面Ｒ１は、図３及び図５に示すように、光源光を鏡面反射し、拡散パネル６を介して、遠領域ＦＲ及び近領域ＮＲに第１の光Ｌ１を照射する。遠領域ＦＲに照射される第１の光Ｌ１と、近領域ＮＲに照射される第１の光Ｌ１との間には、例えば、各ＬＥＤ３１，３２の配光特性のばらつき、光軸ずれ、取付位置のずれ等に起因して、相関色温度に差（以下、「色温度むら」という）が生じることがある。この色温度むらは、被照明面ＩＲにおける色むらの原因となる。本実施形態では、遠領域ＦＲに照射される第１の光Ｌ１の相関色温度が、近領域ＮＲに照射される第１の光Ｌ１の相関色温度より低いものとする。なお、各領域ＦＲ，ＮＲに照射される第１の光Ｌ１の相関色温度は、例えば、後述する補助反射面Ｒ２を低反射率の黒色表面処理等を施した板等で覆ったり、遮光板５を当該板等に置き換えたりすることで計測可能になる。
【００２０】
遮光板５は、光源３と拡散パネル６との間に配置され、ハウジング２に固定されている。遮光板５は、金属や樹脂等の薄板から形成され、照明装置１の長手方向に垂直な断面において、Ｌ字状に折り曲げられた形状を有している。遮光板５は、ベース部５ａと遮光部５ｂとを備える。ベース部５ａは、光源３の下方の位置において、基板３ａと略平行に延在して、ハウジング２に固定されている。遮光部５ｂは、ベース部５ａの上端から反射板４に向かって立設され、光源光が、鏡面反射面Ｒ１を介さずに（すなわち直接、投光開口２Ｂから拡散パネル６に入射して）、遠領域ＦＲ及び近領域ＮＲに照射されることを抑制する。
【００２１】
遮光板５は、補助反射板を兼ねている。遮光部５ｂの光源３と反対側の面、及びベース部５ａの鏡面反射面Ｒ１側の面は、照明装置１の長手方向（光源３の延在方向）に沿って延びる補助反射面Ｒ２（第２反射面）を形成している。補助反射面Ｒ２は、ハウジング２内において、拡散パネル６を介して近領域ＮＲをのぞむ位置に設けられている。補助反射面Ｒ２は、図４及び図５に示すように、ハウジング２内における光源光の二次以上の反射光（第１の光Ｌ１の一次以上の反射光を含み得る）を反射して、近領域ＮＲに第２の光Ｌ２を照射する。すなわち、近領域ＮＲには、第１の光Ｌ１と第２の光Ｌ２との混光が照射される。
【００２２】
補助反射面Ｒ２は、所定の色に着色されており、そのため第２の光Ｌ２の相関色温度は、第１の光Ｌ１の相関色温度と異なるものとなっている。所定の色は、近領域ＮＲに照射される混光（図２の斜線部）と遠領域ＦＲに照射される第１の光Ｌ１との間の相関色温度の差の絶対値が、第１の光Ｌ１の上記色温度むらの大きさより小さくなるように選定される。換言すれば、照明装置１は、被照明面ＩＲの２つの領域ＦＲ，ＮＲに照射される光の相関色温度の差を低減する光（第２の光Ｌ２）を、第２反射面を所定の色に着色することで生成する。なお、着色の方法としては、塗装、メッキ、溶射、蒸着など周知の表面処理方法を採用し得る。
【００２３】
本実施形態では、補助反射面Ｒ２の色は、第２の光Ｌ２の相関色温度の平均値が第１の光Ｌ１の相関色温度の平均値より低く（前者が後者より暖色系に）なるように選定される。例えば、第１の光Ｌ１の相関色温度の平均値が４０００Ｋ程度である場合には、補助反射面Ｒ２にアイボリーつや消し塗装（マンセル２．５Ｙ９／２  日塗工Ｈ２２−９０Ｄ相当）を施すことができる。これにより、第２の光Ｌ２の相関色温度の平均値を第１の光Ｌ１の相関色温度の平均値より低くすることができる。
【００２４】
また、補助反射面Ｒ２の色は、光源光の相関色温度がその可変範囲（例えば、３０００Ｋ〜５０００Ｋ）の中央値（例えば、４０００Ｋ）であるときに、第２の光Ｌ２の相関色温度の平均値が第１の光Ｌ１の相関色温度の平均値より低くなるように選定し得る。なお、相関色温度の「平均値」とは、被照明面ＩＲの被照明領域における平均値を意味する。従って、第１の光Ｌ１の相関色温度の平均値とは、遠領域ＦＲ及び近領域ＮＲ全体における第１の光Ｌ１の相関色温度の平均値である。また、第２の光Ｌ２の相関色温度の平均値とは、近領域ＮＲ全体における第２の光Ｌ２の相関色温度の平均値である。これらの平均値は、例えば、各領域ＦＲ，ＮＲ内における有限個の代表点において計測された相関色温度の平均値として、それぞれ算出することができる。なお、第２の光Ｌ２の相関色温度は、例えば、近領域ＮＲに照射される第１の光Ｌ１と第２の光Ｌ２との混光から第１の光Ｌ１の成分を差し引いたものから求めることができる。
【００２５】
拡散パネル６は、鏡面反射面Ｒ１から入射した第１の光Ｌ１を遠領域ＦＲ及び近領域ＮＲに向けて拡散照射するとともに、補助反射面Ｒ２から入射した第２の光Ｌ２を近領域ＮＲに向けて拡散照射する。拡散パネル６に入射した光の一部は、拡散パネル６にて反射して、ハウジング２内の二次以上の反射光になる。拡散パネル６は、例えば、透明パネルと、透明パネルの外表面に張り付けられた拡散シートとから形成することができる。透明パネルとしては、例えば、アクリル樹脂製のつや消し透明パネルを採用できる。拡散シートとしては、例えば、LEE251（LEE FILTER社製）を採用できる。拡散パネル６を設置することで、被照明面ＩＲにおける均斉度を向上させることができる。なお、鏡面反射面Ｒ１及び補助反射面Ｒ２で十分な均斉度が得られる場合は、拡散パネル６を省略することができる。
【００２６】
以下、本実施形態の作用効果について説明する。
【００２７】
放出される光の相関色温度が互いに異なる第１及び第２のＬＥＤ３１，３２を光源３とする場合、例えば、各ＬＥＤ３１，３２の配光特性のばらつき、光軸ずれ、取付位置のずれ等に起因して、照明光Ｌに上記色温度むらが生じることがある。この色温度むらは、被照明面ＩＲにおける色むらの原因となる。特に、光源３のような線状光源は、光源幅に対する被照明面ＩＲの幅の比（拡幅率）が面状光源のそれよりも大きくなるため、より色温度むらが増幅されやすい傾向にある。この色温度むらは、拡散パネル６によっても十分に抑制することは難しい。
【００２８】
照明装置１では、被照明面ＩＲの遠領域ＦＲと近領域ＮＲに照射される光の相関色温度の差を低減する光（第２の光Ｌ２）を、補助反射面Ｒ２を所定の色に着色することで生成し、近領域ＮＲに照射する。そのため、簡易な構造で遠領域ＦＲと近領域ＮＲに照射される光の色温度むらを低減し、被照明面ＩＲにおける色むらを効率的に抑制することができる。
【００２９】
また、本実施形態では、遠領域ＦＲに照射される第１の光Ｌ１の相関色温度が、近領域ＮＲに照射される第１の光Ｌ１の相関色温度より低くなっている。そして、これに対して補助反射面Ｒ２の色は、第２の光Ｌ２の相関色温度の平均値が第１の光Ｌ１の相関色温度の平均値より低く（前者が後者より暖色系に）なるように選定される。このため、より確実に色温度むらを低減し、被照明面ＩＲの色むらを抑制することができる。例えば、第１の光Ｌ１の相関色温度の平均値が４０００Ｋ程度である場合には、上記アイボリーつや消し塗装を補助反射面Ｒ２に施すことで、色温度むらを低減し得る。これにより、例えば、補助反射面Ｒ２に白色塗装（マンセルＮ９．５）を施した場合に約２５０Ｋであった相関色温度のばらつきを、約７０Ｋまで減少させ得る。
【００３０】
さらに、光源光の相関色温度は、第１及び第２のＬＥＤ３１，３２の光出力比を変化させることで、第１相関色温度（例えば、４０００Ｋ）を中央値とする所定の範囲（例えば、３０００Ｋ〜５０００Ｋ）で可変となっている。光源光が第１相関色温度（可変範囲の中央値）に設定されると、第１及び第２のＬＥＤ３１，３２の光出力比が１に近づき、遠領域ＦＲと近領域ＮＲに照射される第１の光Ｌ１の色温度むらの大きさが極大となりやすい。
【００３１】
この場合、補助反射面Ｒ２の色は、光源光の相関色温度が第１相関色温度であるときに、第２の光Ｌ２の相関色温度の平均値が第１の光Ｌ１の相関色温度の平均値より低くなるように選定する。これにより、相関色温度の可変範囲における色温度むらの極大値を効率的に抑制することができる。
【００３２】
また、照明装置１は、補助反射面Ｒ２を遮光板５に設けている。このため、光源３が投光開口２Ｂを介して直接視認されることを防止しつつ、空間効率よく、上記の色むら低減効果を得ることができる。
【００３３】
さらに、照明装置１は、入射した光を遠領域ＦＲ及び近領域ＮＲに向けて拡散照射するとともに入射した光の一部を反射する拡散パネル６を備えている。このため、被照明面ＩＲにおける均斉度を向上させるとともに、照明装置１内の二次以上の反射光を増大させて第２の光Ｌ２の量を増加させることができる。
【００３４】
次に、本開示の他のいくつかの実施形態にかかる照明装置について説明する。なお、上記実施形態の構成と同様の構成については、同一の符号を付して説明を省略する。
【００３５】
ある実施形態では、第１の光Ｌ１の色温度むらが、上記実施形態と逆の傾向を有することがある。すなわち、遠領域ＦＲに照射される第１の光Ｌ１の相関色温度が、近領域ＮＲに照射される第１の光Ｌ１の相関色温度より高くなることがある。
【００３６】
この場合においても、補助反射面Ｒ２の色は、近領域ＮＲに照射される混光と遠領域ＦＲに照射される第１の光Ｌ１との間の相関色温度の差の絶対値が第１の光Ｌ１の色温度むらの大きさより小さくなるように選定される。換言すれば、照明装置１は、被照明面ＩＲの遠領域ＦＲと近領域ＮＲに照射される光の相関色温度の差を低減する光（第２の光Ｌ２）を、補助反射面Ｒ２を所定の色に着色することで生成し、近領域ＮＲに照射する。これにより、簡易な構造で遠領域ＦＲと近領域ＮＲに照射される光の色温度むらを低減し、被照明面ＩＲにおける色むらを効率的に抑制することができる。
【００３７】
補助反射面Ｒ２の色は、第２の光Ｌ２の相関色温度の平均値が第１の光Ｌ１の相関色温度の平均値より高く（前者が後者より寒色系に）なるように選定することが好ましい。これにより、より確実に色温度むらを低減し、被照明面ＩＲの色むらを抑制することができる。例えば、第１の光Ｌ１の相関色温度の平均値が４０００Ｋ程度である場合には、秘色つや消し塗装またはごく薄い青色つや消し塗装（マンセル５Ｂ９／２  日塗工Ｈ６５−９０Ｄ相当）を補助反射面Ｒ２に施すことで、色温度むらを低減し得る。
【００３８】
別のある実施形態では、光源光の相関色温度が所定の範囲（例えば、３０００Ｋ〜５０００Ｋ）で可変となっている。この場合、補助反射面Ｒ２の色は、光源光の相関色温度がその可変範囲の中央値（例えば、４０００Ｋ）であるときに、第２の光Ｌ２の相関色温度の平均値が第１の光Ｌ１の相関色温度の平均値より高くなるように選定され得る。これにより、相関色温度の可変範囲における色温度むらの極大値を効率的に抑制することができる。
【００３９】
また、上述の各実施形態の変形例では、補助反射面Ｒ２は、照明装置１の長手方向位置に応じて異なる色を有し得る。当該色は、照明装置１の長手方向に沿って段階的に或いは連続的に変化し得る。これにより、第１の光Ｌ１の色温度むらが、照明装置１の長手方向位置に応じて変化する場合に、当該長手方向位置に応じた最適な相関色温度で第２の光Ｌ２を生成することができる。
【００４０】
上述の各実施形態のさらに別の変形例では、補助反射面Ｒ２は、照明装置１の長手方向と直交する方向（補助反射面Ｒ２の幅方向）における位置に応じて異なる色を有し得る。当該色は、照明装置１の長手方向と直交する方向に沿って段階的に或いは連続的に変化し得る。これにより、被照明面ＩＲに照射される光の色温度むらをより精度よく低減することができる。
【００４１】
上述の各実施形態のさらに別の変形例では、補助反射面Ｒ２に加えて第２の補助反射面を備え得る。これにより、遠領域ＦＲや近領域ＮＲとは異なる第３の領域に、第１の光Ｌ１や第２の光Ｌ２とは異なる第３の光を照射して、被照明面ＩＲに照射される光の色温度むらをより一層精度よく低減することができる。
【００４２】
以上、本開示のいくつかの実施形態について説明したが、これらは本開示の理解を容易にするために記載された単なる例示に過ぎない。本開示の技術的範囲は、上記実施形態で開示した具体的な技術事項に限らず、そこから容易に導きうる様々な変形、変更、代替技術なども含むものである。
【００４３】
例えば、上記実施形態では、光源３は、放出される光の相関色温度が互いに異なる２種類のＬＥＤ３１，３２から構成されていたが、ＬＥＤ３０の種類の数は、３以上であってもよい。また、光源３の発光素子は、有機ＥＬ（ＯＬＥＤ）など、他の半導体素子であってもよい。
【００４４】
また、上記実施形態の照明装置１は、被照明面ＩＲの前上方に設置されていたが、照明装置１は、被照明面ＩＲの前下方に設置して、その位置から後上方に向けて照明光Ｌを照射してもよい。照明装置１は、被照明面ＩＲの前左方または前右方に設置して、その位置から被照明面ＩＲ中央に向けて照明光Ｌを照射してもよい。照明装置１は、被照明面ＩＲの周囲を囲うように環状に配置することができる。また、照明装置１は、その長手方向と直交する方向に複数列並べて設置してもよい。
【００４５】
さらに、上記実施形態の照明装置１は、被照明面ＩＲに対して略平行に配置されていたが、照明装置１は、被照明面ＩＲに対して非平行に配置されてもよい。また、照明装置１の形状は、直線状に限らず、曲線状の形状を有してもよい。
【００４６】
また、上記実施形態の照明装置１は、展示ケース１０の照明に限らず、オープン展示の照明にも適用できる。
【００４７】
以上、説明した通り、本開示の実施形態にかかる照明装置１は、被照明面ＩＲに沿って延設され、被照明面ＩＲを構成する遠領域ＦＲ（第１領域）及び遠領域ＦＲよりも近くに位置する近領域ＮＲ（第２領域）を所定の相関色温度で照明する。照明装置１は、放出される光の相関色温度が互いに異なる２種以上のＬＥＤ３０（発光素子）が一方向に沿って並べられた光源３を備えている。また、照明装置１は、光源３から出射された光源光を反射して、遠領域ＦＲ及び近領域ＮＲに第１の光Ｌ１を照射する鏡面反射面Ｒ１（第１反射面）を備えている。さらに、照明装置１は、光源光の二次以上の反射光を反射して、近領域ＮＲに第２の光Ｌ２を照射する補助反射面Ｒ２（第２反射面）を備えている。補助反射面Ｒ２は、所定の色に着色されている。遠領域ＦＲに照射される第１の光Ｌ１と、近領域ＮＲに照射される第１及び第２の光Ｌ１，Ｌ２の混光との相関色温度の差の絶対値は、遠領域ＦＲに照射される第１の光Ｌ１と、近領域ＮＲに照射される第１の光Ｌ１との相関色温度の差の絶対値より小さい。
【００４８】
遠領域ＦＲに照射される第１の光Ｌ１の相関色温度は、近領域ＮＲに照射される第１の光Ｌ１の相関色温度より低く、第２の光Ｌ２の相関色温度の平均値は、第１の光Ｌ１の相関色温度の平均値より低い。
【００４９】
２種以上のＬＥＤ３０は、放出される光の相関色温度が互いに異なる第１のＬＥＤ３１（第１の発光素子）と第２のＬＥＤ３２（第２の発光素子）とから構成される。照明装置１は、第１及び第２のＬＥＤ３１，３２の光出力を制御する制御部９を備える。制御部９は、第１及び第２のＬＥＤ３１，３２の光出力比を変化させることで、光源光の相関色温度を、第１相関色温度を中央値とする所定の範囲で可変とする。光源光の相関色温度が第１相関色温度であるとき、遠領域ＦＲに照射される第１の光Ｌ１の相関色温度が近領域ＮＲに照射される第１の光Ｌ１の相関色温度より低く、第２の光Ｌ２の相関色温度の平均値が第１の光Ｌ１の相関色温度の平均値より低い。
【００５０】
ある実施形態では、遠領域ＦＲに照射される第１の光Ｌ１の相関色温度は、近領域ＮＲに照射される第１の光Ｌ１の相関色温度より高く、第２の光Ｌ２の相関色温度の平均値は、第１の光Ｌ１の相関色温度の平均値より高い。
【００５１】
また、ある実施形態では、２種以上のＬＥＤ３０は、放出される光の相関色温度が互いに異なる第１のＬＥＤ３１（第１の発光素子）と第２のＬＥＤ３２（第２の発光素子）とから構成される。照明装置１は、第１及び第２のＬＥＤ３１，３２の光出力を制御する制御部９を備える。制御部９は、第１及び第２のＬＥＤ３１，３２の光出力比を変化させることで、光源光の相関色温度を、第１相関色温度を中央値とする所定の範囲で可変とする。光源光の相関色温度が第１相関色温度であるとき、遠領域ＦＲに照射される第１の光Ｌ１の相関色温度が近領域ＮＲに照射される第１の光Ｌ１の相関色温度より高く、第２の光Ｌ２の相関色温度の平均値が第１の光Ｌ１の相関色温度の平均値より高い。
【００５２】
上記各実施形態にかかる照明装置１では、光源光が鏡面反射面Ｒ１を介さずに遠領域ＦＲ及び近領域ＮＲに照射されることを抑制する遮光板５を備え、遮光板５に補助反射面Ｒ２を設ける。
【００５３】
また、上記各実施形態にかかる照明装置１では、鏡面反射面Ｒ１から入射した光を遠領域ＦＲ及び近領域ＮＲに向けて拡散照射する拡散パネル６を備える。
【符号の説明】
【００５４】
１  照明装置
３  光源
３０  複数のＬＥＤ（発光素子）
３１  第１のＬＥＤ（第１の発光素子）
３２  第２のＬＥＤ（第２の発光素子）
Ｒ１  鏡面反射面（第１反射面）
Ｒ２  補助反射面（第２反射面）
５  遮光板
６  拡散パネル
９  制御部
ＩＲ  被照明面
ＦＲ  遠領域（第１領域）
ＮＲ  近領域（第２領域）
Ｌ１  第１の光
Ｌ２  第２の光
【図１】
2018113118.tif 000003
【図２】
2018113118.tif 000004
【図３】
2018113118.tif 000005
【図４】
2018113118.tif 000006
【図５】
2018113118.tif 000007
【図６】
2018113118.tif 000008